(57)【特許請求の範囲】
【請求項１】
取付け部を備えた支持軸及び該支持軸にローラを介して相対回転自在に取り付けられた外輪を備えたフォロア軸受に対して，前記外輪に潤滑剤を給脂する潤滑部材を収容する収容室を備えたケーシングが前記フォロア軸受に外付けされていることから成るフォロア軸受の潤滑装置において，
前記ケーシングは，前記収容室を備えて前記外輪の外側の一部を覆うケース，及び前記ケースに形成された前記収容室の開口部を閉鎖するため前記ケースに開閉自在に取り付けられる蓋部材から構成されており，
前記ケースは，前記外輪を覆って前記潤滑部材を収容する前記収容室が形成された本体部，及び前記本体部の一端に一体構造に形成され且つ前記支持軸を嵌挿する挿通孔が形成されたリング部から構成されており，
前記ケーシングの前記ケースを前記フォロア軸受から取り外すことなく，前記ケーシングの前記蓋部材を開けて前記ケースの前記開口部を通じて前記潤滑部材を前記収容室に取付け取外し可能に配設されることを特徴とするフォロア軸受の潤滑装置。
【請求項２】
前記潤滑部材は，前記外輪の周方向に隔置して軸方向全域に沿って接する一対の給油部を備えており，前記潤滑部材には，前記給油部を前記外輪の外周面に弾性的に当接させるばね部材が取り付けられていることを特徴とする請求項１に記載のフォロア軸受の潤滑装置。
【請求項３】
前記ばね部材は，前記ケーシングの上部に軸方向に延びて形成された位置決め凹部に係止して前記ケーシングに位置決めして配設されていることを特徴とする請求項２に記載のフォロア軸受の潤滑装置。
【請求項４】
前記潤滑部材は，軸方向の両側部に掛け止め支持部を備えており，前記掛け止め支持部は，前記ケースの内側両側部に軸方向に延びて形成された掛け止め段部に掛け止めされて前記ケースの前記収容室に設置されることを特徴とする請求項１〜３のいずれか１項に記載のフォロア軸受の潤滑装置。
【請求項５】
前記潤滑部材は，前記潤滑剤が含浸された多孔質成形体で構成されていることを特徴とする請求項１〜４いずれか１項に記載のフォロア軸受の潤滑装置。
【請求項６】
前記ケースに形成された前記開口部は前記ケースの軸方向端面又は上部に形成されていることを特徴とする請求項１〜５のいずれか１項に記載のフォロア軸受の潤滑装置。
【請求項７】
前記蓋部材は，前記ケースに形成された前記開口部を開閉するため前記ケースの一端部に蝶番で揺動自在に取り付けられ，他端部が前記ケースに設けた係止凸部に係止される係合孔部を備えていることを特徴とする請求項１〜６のいずれか１項に記載のフォロア軸受の潤滑装置。
【請求項８】
前記蓋部材は，前記ケースとは別体に構成されており，前記ケースに形成された前記開口部を開閉するため，前記ケースの両端に設けられた係止凸部に係止される係合孔部を両端部にそれぞれ備えていることを特徴とする請求項１〜６のいずれか１項に記載のフォロア軸受の潤滑装置。
【請求項９】
前記外輪と前記ケーシングとが配設された前記支持軸は，固定部材に形成された取付け用孔に挿通された状態で，前記支持軸の前記取付け部を構成する雄ねじ部にナットが螺入締結されて，前記フォロア軸受が前記固定部材に固定されることを特徴とする請求項１〜８のいずれか１項に記載のフォロア軸受の潤滑装置。
【請求項１０】
前記外輪はトラック部材のトラック面を転動し，前記固定部材は前記外輪の転動に伴って運動することを特徴とする請求項９に記載のフォロア軸受の潤滑装置。
【発明の詳細な説明】
【技術分野】
【０００１】
この発明は，例えば，工作機械，産業用ロボット，電子部品装置，ＯＡ機器等の各種の装置に使用できるフォロア軸受に対して，該フォロア軸受に外付けされたケーシングに取付け取外しができる潤滑部材を備えたフォロア軸受の潤滑装置に関する。
【背景技術】
【０００２】
従来，カムフォロア及びローラフォロア等の外輪の外周がフォロア面を有するフォロア軸受が知られている。該フォロア軸受は，外周にフォロア面を有し且つ内周に外側軌道面を有する外輪と，外側軌道面を対面する内側軌道面を有する軸と，これらの外側軌道面と内側軌道面との間を転走するころとを備えている。軸は，外径方向に突出したフランジ形状の側方部材を内側軌道面の両端面に備えており，軸の内側軌道面は軸に形成された環状溝で形成されている（例えば，特許文献１参照）。
【０００３】
また，本出願人に係るフォロア軸受として，潤滑装置を設けたものが知られている。該フォロア軸受の潤滑装置５Ｐは，図１２に示すように，フォロア軸受１０Ｐに外付けされたケーシング３Ｐ内に収容されている。フォロア軸受１０Ｐは，スタッドである支持軸１Ｐに外輪２Ｐが回転自在に取り付けられている。支持軸１Ｐは，端部にフランジ部３５Ｐを備えている。外輪２Ｐは，外周面１６Ｐがフォロア面１６Ｐに形成されている。潤滑装置５Ｐは，図示していないが，板ばねを潤滑部材に一体化した状態でケーシング３Ｐ内に収容されている。潤滑装置５Ｐは，潤滑部材をフォロア軸受１０Ｐの外輪２Ｐに圧接する弾性部材として断面山形の形状の板ばねを備えている。潤滑装置５Ｐは，板ばねと潤滑部材とが一体化した状態でケーシング３Ｐ内に収容されている。潤滑部材は，外輪２Ｐに接触する一対の突部と該突部を形成した側面とは反対側に一対の壁面とを形成している。板ばねは，断面形状を山形に形成されると共に，山形の裾の部分に潤滑部材の壁面に接触する一対の突片を形成し，これらの突片が一対の壁面を挟み込むように組み付けられている（例えば，特許文献２参照）。
【先行技術文献】
【特許文献】
【０００４】
【特許文献１】特開２０１０−１０１３６３号公報
【特許文献２】特開２０１１−５８６００号公報
【発明の概要】
【発明が解決しようとする課題】
【０００５】
しかしながら，上記のようなフォロア軸受では，例えば，潤滑部材を新品のものに交換する場合に，相手装置に固定したフォロア軸受と潤滑部材を収納したケーシングから成る潤滑装置とを，相手装置から一旦取り外して潤滑装置を単体状態にしないと，ケーシング内の潤滑部材を交換することができない構造に構成されていた。言い換えると，従来のフォロア軸受の潤滑装置は，フォロア装置に潤滑装置を外付けしているが，フォロア装置を相手装置に設置した状態では，潤滑装置を構成している潤滑部材をケーシングに取り付けたり，ケーシングから取り外したり，或いは新しい潤滑部材に交換することができないという問題があった。
【０００６】
この発明の目的は，上記の課題を解決することであり，カムフォロアやローラフォロアのフォロア軸受に対して，フォロア軸受に外付けされているケースとその蓋部材から成るケーシングに潤滑装置を収容し，ケーシングのケースをフォロア軸受から取り外すことなく，ケーシングのケース内に配設された潤滑部材のみをケースに配設即ち取り付けたり，ケースから取り外したりでき，それによって，潤滑部材のみを新しい潤滑部材に容易に交換することができることに特徴とするフォロア軸受の潤滑装置を提供することである。
【課題を解決するための手段】
【０００７】
この発明は，取付け部を備えた支持軸及び該支持軸にローラを介して相対回転自在に取り付けられた外輪を備えたフォロア軸受に対して，前記外輪に潤滑剤を給脂する潤滑部材を収容する収容室を備えたケーシングが前記フォロア軸受に外付けされていることから成るフォロア軸受の潤滑装置において，
前記ケーシングは，前記収容室を備えて前記外輪の外側の一部を覆うケース，及び前記ケースに形成された前記収容室の開口部を閉鎖するため前記ケースに開閉自在に取り付けられる蓋部材から構成されており，
前記ケースは，前記外輪を覆って前記潤滑部材を収容する前記収容室が形成された本体部，及び前記本体部の一端に一体構造に形成され且つ前記支持軸を嵌挿する挿通孔が形成されたリング部から構成されており，
前記ケーシングの前記ケースを前記フォロア軸受から取り外すことなく，前記ケーシングの前記蓋部材を開けて前記ケースの前記開口部を通じて前記潤滑部材を前記収容室に取付け取外し可能に配設されることを特徴とするフォロア軸受の潤滑装置に関する。
【０００８】
また，前記潤滑部材は，前記外輪の周方向に隔置して軸方向全域に沿って接する一対の給油部を備えており，前記潤滑部材には，前記給油部を前記外輪の外周面に弾性的に当接させるばね部材が取り付けられている。更に，前記ばね部材は，前記ケーシングの上部に軸方向に延びて形成された位置決め凹部に係止して前記ケーシングに位置決めして配設されている。
【０００９】
また，前記潤滑部材は，軸方向の両側部に掛け止め支持部を備えており，前記掛け止め支持部は，前記ケースの内側両側部に軸方向に延びて形成された掛け止め段部に掛け止めされて前記ケースの前記収容室に設置される。更に，前記潤滑部材は，前記潤滑剤が含浸された多孔質成形体で構成されている。
【００１０】
また，前記ケースに形成された前記開口部は，前記ケースの軸方向端面又は上部に形成されている。
【００１１】
また，前記蓋部材は，前記ケースに形成された前記開口部を開閉するため前記ケースの一端部に蝶番で揺動自在に取り付けられ，他端部が前記ケースに設けた係止凸部に係止される係合孔部を備えている。又は，前記蓋部材は，前記ケースとは別体に構成されており，前記ケースに形成された前記開口部を開閉するため，前記ケースの両端に設けられた係止凸部に係止される係合孔部を両端部にそれぞれ備えている。
【００１２】
また，前記外輪と前記ケーシングとが配設された前記支持軸は，固定部材に形成された取付け用孔に挿通された状態で，前記支持軸の前記取付け部を構成する雄ねじ部にナットが螺入締結されて，前記フォロア軸受が前記固定部材に固定される。更に，前記外輪は，トラック部材のトラック面を転動し，前記固定部材は前記外輪の転動に伴って運動するものである。
【発明の効果】
【００１３】
この発明によるフォロア軸受の潤滑装置は，上記のように，カムフォロア等のフォロア軸受に，潤滑部材をケーシングに配設した潤滑装置を外付けした構成であり，フォロア軸受にケーシングを取り付けたままで，ケーシング内の潤滑部材のみを新品のものに交換できるように構成したものであり，ケーシングをケースとケースの開口部を閉鎖する蓋部材とから構成し，フォロア軸受自体を固定部材に固定する場合に，潤滑装置を構成するケーシングをフォロア軸受と一緒に固定部材に固定することができ，ケーシングをフォロア軸受に取り付けた状態で，蓋部材を操作してケースの収容部を開けることによって，ケース内に配設している潤滑部材を取り外したり，ケース内に潤滑部材を設置し即ち取り付けたり，或いは消耗した潤滑部材を新しい潤滑部材に容易に交換することができる。
【図面の簡単な説明】
【００１４】
【図１】この発明によるフォロア軸受の潤滑装置の一実施例を示す正面図である。
【図２】図１に示すＡ−Ａ断面におけるフォロア軸受の潤滑装置を示す断面図である。
【図３】図１のフォロア軸受において，フォロア軸受に外付けしたケーシングの蓋部材を開けた状態のフォロア軸受を示す斜視図である。
【図４】図１のフォロア軸受において，フォロア軸受に外付けしたケーシングの蓋部材を閉じた状態のフォロア軸受を示す斜視図である。
【図５】図１のフォロア軸受を固定部材に固定して相手部材のトラック面に外輪を設置した状態のフォロア軸受の潤滑装置を示す一部断面図である。
【図６】図１のフォロア軸受に外付けされたケーシングに収納される潤滑部材を示す斜視図である。
【図７】この発明によるフォロア軸受の潤滑装置において，ケーシングを構成するケースが蓋部材と分離される別の実施例を示す斜視図である。
【図８】図７のフォロア軸受において，ケーシングを構成する蓋部材を示す斜視図である。
【図９】この発明によるフォロア軸受の潤滑装置の別の実施例を示す斜視図である。
【図１０】この発明によるフォロア軸受の潤滑装置の更に別の実施例を示す斜視図である。
【図１１】図１０のフォロア軸受の潤滑装置を示す上面図である。
【図１２】従来のフォロア軸受の潤滑装置の一例を示す正面図である。
【発明を実施するための形態】
【００１５】
以下に，図面を参照して，この発明によるフォロア軸受の潤滑装置の実施例について説明する。
図１〜図６を参照して，この発明によるフォロア軸受の潤滑装置の一実施例を説明する。この発明によるフォロア軸受の潤滑装置について，フォロア軸受１０は，カムフォロアやローラフォロアであって，この実施例では，概して，雄ねじ部１Ｓ等の取付け部１３を備えたスタッドである支持軸１，及び支持軸１に針状ころ等のローラ４を介して相対回転自在に取り付けられた外輪２を備えている。このフォロア軸受の潤滑装置は，フォロア軸受１０に対して，外輪２に潤滑剤を給脂する潤滑部材１５を収容する収容室６を有するケーシング３がフォロア軸受１０に外付けされているものである。フォロア軸受１０は，一端にフランジ部３５を備え且つ他端に取付け部材１３の雄ねじ部１Ｓが形成された支持軸１，支持軸１に回転自在に嵌挿して取り付けられた外輪２，支持軸１と外輪２との間に介在された複数個の針状ころのローラ４，ローラ４を保持する保持器３７，及び反フランジ部３５側で保持器３７に接して支持軸１に嵌挿されたリング状の側板３４から構成されている。フォロア軸受１０は，例えば，図５に示されているように，各種の装置に組み込まれている。フォロア軸受１０は，その支持軸１が固定部材２２に形成された取付け用孔４１に挿通され，支持軸１に形成された雄ねじ部１Ｓにナット２８を螺入締結して，固定部材２２に固定されている。固定部材２２は，取付け用孔４１の回りにボス部３６が形成されている。また，フォロア軸受１０の外輪２は，相手部材であるトラック部材３０のトラック面３１に回転自在に設置されている。支持軸１の端部には，一端側に雄ねじ部１Ｓが設けられ，雄ねじ部１Ｓとは反対側の支持軸１の端部には，六角棒スパナを使って支持軸１を締め付け固定するための六角穴２７が形成されている。六角穴２７の奥側には，潤滑剤をフォロア軸受１０のローラ４に給脂するためのグリースニップル４３が配設されている。グリースニップル４３の更に奥側には，フォロア軸受１０のローラ４に給脂するための給脂通路４２が形成されている。
【００１６】
この発明によるフォロア軸受の潤滑装置は，概して，フォロア軸受１０に外付けされたケーシング３，ケーシング３内に収容された潤滑部材１５，及び潤滑部材１５を外輪２に弾性的に接触させるばね部材１７から構成されている。ケーシング３は，潤滑部材１５の収容室６を備え且つ外輪２の外側の一部を覆うケース７，及びケース７に形成された開口部９を閉鎖するためケース７に開閉自在に取り付けられる蓋部材８から構成されており，ケース７の収容室６に潤滑部材１５が出し入れ自在に設置されている。潤滑装置５を構成する潤滑部材１５は，特に，潤滑装置５のケーシング３を構成するケース７にその開口部９を通じて収容室６に取付け取外し可能に配設されることを特徴としている。また，ケース７は，外輪２を覆って潤滑部材１５を収容する収容室６が形成された本体部１１，該本体部１１の一端に一体構造に形成されて支持軸１を嵌挿する挿通孔１２を備えたリング部２５から構成されている。この実施例では，ケース７は，上部２３，両側部４５及びリング部２５を備えた後部４６から形成されている。ケース７の前部には，開口部９が形成されており，開口部９は，蓋部材８によって閉鎖される形式に構成されている。ケース７に形成された開口部９は，ケース７の軸方向に一方の端面２４に形成されている。また，ケース７の上部２３の中央部には，ばね部材１７をケーシング３内に位置決めするため，軸方向に延びるＶ溝状の位置決め凹部３２が形成されている。ケース７には，潤滑装置５を収容室６に配設した状態で，潤滑装置５が収容室６内に安定して設置されるように，ケース７の本体部１１の内側対向面に軸方向に延びる一対の段部形状の掛け止め段部３３が形成されている。また，ケーシング３を構成する蓋部材８は，ケース７の軸方向端面２４に形成された開口部９を密封するため，ケース７の一端側に蝶番２６によって回転自在に取り付けられ，他端側がケース７に設けた係止凸部１８に係止される係合孔部１９を備えている。
【００１７】
この実施例では，潤滑装置５は，潤滑剤が含浸された潤滑部材１５，潤滑部材１５を配設するケーシング３，及び潤滑部材１５に取り付けられた板ばね形状のばね部材１７から構成されている。潤滑部材１５は，幅方向に隔置して軸方向に双胴状に延びる一対の給油部１４と，給油部１４を一体構造に連係する連係部４０から構成されている。潤滑部材１５には，給油部１４が形成された部位に対応して軸方向にそれぞれ延びる凹溝３９が形成されている。また，潤滑部材１５は，幅方向端部が凹溝３９に沿って端面側に突出して延び，且つケース７の一対の掛け止め段部３３に載置して潤滑部材１５をケース７内に支持する掛け止め支持部３８を備えている。また，ケース７に形成された位置決め凹部３２には，稜線状の板ばねに形成されたばね部材１７がその軸方向中央の稜線が係止し，それによって，潤滑部材１５はケース７内に位置決めして配設されている。潤滑部材１５の給油部１４は，外輪２の外周面１６に，ばね部材１７によって弾性変形して当接させられ，外輪２の外周面１６に接触して給油するように構成されている。言い換えれば，潤滑部材１５は，外輪２の周方向に隔置して軸方向全域に沿って接する一対の給油部１４を備えている。また，潤滑部材１５は，潤滑剤が含浸された多孔質成形体で構成されている。潤滑剤を含浸した多孔質成形体は，例えば，高分子量の合成樹脂微粒子を押し固めた状態で加熱成形した焼結樹脂であって，合成樹脂微粒子間が連通した空間即ちオープンポアに形成され，該オープンポアは，潤滑剤が含浸されるように保形されている。
【００１８】
また，フォロア軸受１０は，相手部材であるトラック部材３０のトラック面３１の変位に追従して外輪２が回転自在になって運動するものである。フォロア軸受１０を固定部材２２に固定するには，フォロア軸受１０の支持軸１をケース７のリング部２５に形成された挿通孔１２に通し，次いで，固定部材２２に形成された取付け用孔４１に支持軸１を通し，リング部２５を取付け用孔４１の周囲のボス部３６に位置させる。そこで，支持軸１に座金２９を通して座金２９を固定部材２２の面に当て，次いで支持軸１の雄ねじ部１Ｓにナット２８を螺入して締結する。この状態で，ケース７は，固定部材２２に対してフォロア軸受１０と一緒に固定された状態になる。通常，潤滑装置５をケース７内に配設するのは，ケーシング３をフォロア軸受１０にセットするのに先駆けて配設するが，ケーシング３をフォロア軸受１０にセットした後でもよいものである。即ち，フォロア軸受１０において，外輪２とケーシングと３が配設された支持軸１は，固定部材２２に形成された取付け用孔４１に挿通された状態で，支持軸１の取付け部１３を構成する雄ねじ部１ｓにナット２８が螺入締結されて，それによって，フォロア軸受１０が固定部材２２に固定されるものである。
【００１９】
次に，図７及び図８を参照して，この発明によるフォロア軸受の潤滑装置の別の実施例を説明する。図７及び図８において，図１〜図６に示すフォロア軸受の潤滑装置の各種の部材と同一の機能を有する部材には同一符号を付してそれらの説明は省略する。この発明によるフォロア軸受の潤滑装置は，ケーシング３を構成するケース７Ａと蓋部材８Ａとが別々に分離される構造に形成されている。蓋部材８Ａは，ケース７Ａに形成された開口部９を開閉するためケース７Ａの両端に設けられた係止凸部１８に係止される係合孔部１９を両端部にそれぞれ備えている。ケース７Ａは，上部２３，両側部４５及びリング部２５を備えた後部４６から形成されている。ケース７Ａの前部は，開口部９に形成されており，開口部９は，蓋部材８Ａによって閉鎖される形式に構成されている。潤滑装置５をケース７Ａの収容室６に配置するには，蓋部材８Ａをケース７Ａから取り外し，開口部９を開いて潤滑装置５を収容室６に挿通して配設する。
【００２０】
また，図９を参照して，この発明によるフォロア軸受の潤滑装置の更に別の実施例を説明する。図９において，図１〜図６に示すフォロア軸受の潤滑装置の各種の部材と同一の機能を有する部材には同一符号を付してそれらの説明は省略する。この発明によるフォロア軸受の潤滑装置は，ケース７Ｂに形成された開口部９は，ケース７Ｂの上面に形成されている。ケース７Ｂの開口部９には，蓋部材８Ｂに閉鎖されるように形成されている。蓋部材８Ｂは，一端がケース７Ｂの側部に蝶番２６で回転自在に取り付けられており，他端には係合孔部２１を備えている。ケース７Ｂの側部には，蓋部材８Ｂの係合孔部２１が係合する係止凸部２０を備えている。潤滑装置５は，ケース７Ｂの収容室６には上部に設けた蓋部材８Ｂを開けて上方から配設することができる。勿論，ケース７Ｂにも，掛け止めガイド部を備えており，潤滑装置５は，ケース７Ｂの掛け止めガイド部に載置されてケース７Ｂの収容室６に配設される。
【００２１】
また，図１０及び図１１を参照して，この発明によるフォロア軸受の潤滑装置の他の実施例を説明する。図１０及び図１１において，図１〜図６に示すフォロア軸受の潤滑装置の各種の部材と同一の機能を有する部材には同一符号を付してそれらの説明は省略する。この発明によるフォロア軸受の潤滑装置は，ケース７Ｃと蓋部材８Ｃとは，弾性変形可能な薄肉部材から成る一種の蝶番２６Ｃによって３者が一体構造になって形成されている。蓋部材８Ｃは係合孔部１９を備えており，蓋部材８Ｃの係合孔部１９は，ケース７Ｃに設けた係止凸部１８に係合してケース７Ｃの前部に形成されている開口部９が閉鎖されるように構成されている。言い換えれば，ケースＣと蓋部材８Ｃと蝶番２６Ｃとは，一体構造に成形されている。
【産業上の利用可能性】
【００２２】
この発明によるフォロア軸受の潤滑装置は，例えば，工作機械，産業用ロボット，電子部品装置，ＯＡ機器等の各種の装置に組み込んで使用されるものである。
【符号の説明】
【００２３】
１      支持軸
１Ｓ    雄ねじ
２      外輪
３      ケーシング
４      ローラ
５      潤滑装置
６      収容室
７，７Ａ，７Ｂ，７Ｃ    ケース
８，８Ａ，８Ｂ，８Ｃ    蓋部材
９      開口部
１０    フォロア軸受
１１    本体部
１２    挿通孔
１３    取付け部
１４    給油部
１５    潤滑部材
１６    外周面
１７    ばね部材
１８，２０    係止凸部
１９，２１    係合孔部
２３    上部
２４    端面
２５    リング部
２６    蝶番
２８    ナット
３０    トラック部材
３１    トラック面
３２    位置決め凹部
３３    掛け止め段部
３８    掛け止め支持部
４１    取付け用孔
【図１】
0006639847.tif 000002
【図２】
0006639847.tif 000003
【図３】
0006639847.tif 000004
【図４】
0006639847.tif 000005
【図５】
0006639847.tif 000006
【図６】
0006639847.tif 000007
【図７】
0006639847.tif 000008
【図８】
0006639847.tif 000009
【図９】
0006639847.tif 000010
【図１０】
0006639847.tif 000011
【図１１】
0006639847.tif 000012
【図１２】
0006639847.tif 000013